(57)【要約】【課題】アンカーボルトの突出端部を避けなくても同突出端部の際まで補強シートを貼り付けられるようにして、アンカーボルトが打設された吹き付け法面を簡便な施工で確実に補強する。【解決手段】本発明は、地山２に吹き付けられたコンクリート層３を貫通して同地山２に複数のアンカーボルト４が打設されている吹き付け法面１を補修するための法面補修工法であって、次の工程（ａ）〜（ｃ）を含む。（ａ）  既設のアンカーボルト４の突出端部５から締め付け部材６を取り外す第一工程（ｂ）  アンカーボルト４の突出端部５がある部分ではその突出端部５を補強シート１４に貫通させるようにして、コンクリート層３の表面に当該補強シート１４を隙間なく貼り付ける第二工程（ｃ）  アンカーボルト４の突出端部５に締め付け部材６を取り付けて同ボルト４を締め直す第三工程【選択図】      図１
2004285751.tif 000002
【特許請求の範囲】
【請求項１】
地山（２）に吹き付けられたコンクリート層（３）を貫通して同地山（２）に複数のアンカーボルト（４）が打設されている吹き付け法面（１）を補修するための法面補修工法において、次の工程（ａ）〜（ｃ）を含むことを特徴とする法面補修工法。
（ａ）  前記既設のアンカーボルト（４）の突出端部（５）から締め付け部材（６）を取り外す第一工程
（ｂ）  前記アンカーボルト（４）の突出端部（５）がある部分においてはその突出端部（５）を補強シート（１４）に貫通させるようにして、前記コンクリート層（３）の表面に当該補強シート（１４）を隙間なく貼り付ける第二工程
（ｃ）  前記アンカーボルト（４）の突出端部（５）に前記締め付け部材（６）を取り付けて同ボルト（４）を締め直す第三工程
【請求項２】
補強シート（１４）を貼り付けた後に、コンクリート層（３）の裏側の地山（２）に存在する空洞部（１７）に対して薬液注入を行うようにした請求項１に記載の法面補修工法。
【請求項３】
補強シート（１４）を貼り付けた後に、隣接するアンカーボルト（４）の締め付け部材（６）同士を補強バー（１９）で互いに連結するようにした請求項１又は２に記載の法面補修工法。
【発明の詳細な説明】
【０００１】
【発明の属する技術分野】
本発明は、アンカーボルトが打設されている吹き付け法面を補修するための法面補修工法に関する。
【０００２】
【従来の技術】
切土や盛土または山肌等の法面（傾斜面）に対して行う法面吹き付け工は、早強性のあるコンクリート（本明細書ではモルタルも含む意味で使用する。）を地山に吹き付けることによって、法面を補強して地山を安定化させる工法である。かかる法面吹き付け工においては、コンクリート層を地山に対してより強固に一体化させるため、そのコンクリート層の上から同層を貫通するようにして、一定間隔おきに複数のアンカーボルトを地山に打設する工事（アンカー工）が付加的に行われることが多い。
【０００３】
かかるアンカーボルトが打設された吹き付け法面は、通常、そのコンクリート表面やアンカーボルトの突出端部が剥き出しの状態になっているので、アンカーボルトの打設孔や、コンクリート層に発生した微少な空隙ないしクラックから雨水が浸入し、これにより、地山が徐々に浸食されてコンクリート層の裏側に空洞部ができ、地山の支持力が大きく低下していることがある。
一方、既設のコンクリート構造物の強度を向上させる補修工法として、合成樹脂製の接着剤や塗料等よりなるプライマーをコンクリート表面に塗布して前処理した後、引っ張り強度が強化された高張力繊維シート等よりなる補強シートを同コンクリート表面に貼り付ける方法が知られている（例えば、特許文献１及び特許文献２参照）。
【０００４】
【特許文献１】
特開２００２−３６４１６号公報  （１欄１０〜２０行）
【特許文献２】
特開２００２−８９０８２号公報  （１欄１〜９行）
【０００５】
【発明が解決しようとする課題】
従って、上記補修工法を吹き付け法面に対して適用すれば、コンクリート表面からの雨水の浸入が防止されるとともにコンクリート層の引っ張り強度が向上するので、吹き付け法面を効率よく補修できるものと考えられる。そして、複数のアンカーボルトが地山に打設されている施工現場に当該補修工法を適用する場合には、吹き付け法面に林立しているアンカーボルトの突出端部が邪魔になるため、通常、その突出端部を避けるようにして吹き付け法面に補強シートを貼り付けていくことになる。
【０００６】
しかるに、アンカーボルトの突出端部を避けて吹き付け法面に補強シートを貼り付ける方法では、吹き付け法面におけるアンカーボルトの突出端部の際まで隙間なく補強シートで覆うことが困難になるので、同シートによる補強効果が著しく減殺される恐れがある。また、アンカーボルトの突出端部を避ける方法では、補強シートを吹き付け法面に無駄なく貼り付けるためには、その突出端部の配列ピッチを考慮して現場ごとに補強シートの割り付け方を種々に工夫する必要があるので、専ら作業手間が多くなるという欠点もある。
【０００７】
本発明は、このような実情に鑑み、アンカーボルトの突出端部を避けなくても同突出端部の際まで補強シートを貼り付けられるようにして、アンカーボルトが打設された吹き付け法面を簡便な施工で確実に補強することができる法面補修工法を提供することを目的とする。
【０００８】
【課題を解決するための手段】
上記目的を達成すべく、本発明は次の技術的手段を講じた。
すなわち、本発明は、地山に吹き付けられたコンクリート層を貫通して同地山に複数のアンカーボルトが打設されている吹き付け法面を補修するための法面補修工法において、次の工程（ａ）〜（ｃ）を含むことを特徴としている。
【０００９】
（ａ）  前記既設のアンカーボルトの突出端部から締め付け部材を取り外す第一工程
（ｂ）  前記アンカーボルトの突出端部がある部分ではその突出端部を補強シートに貫通させるようにして、前記コンクリート層の表面に当該補強シートを隙間なく貼り付ける第二工程
（ｃ）  前記アンカーボルトの突出端部に前記締め付け部材を取り付けて同ボルトを締め直す第三工程
【００１０】
上記の本発明によれば、地山に吹き付けられた既設のコンクリート層の表面に補強シートを貼り付ける場合に、アンカーボルトの突出端部がある部分においてはその突出端部を補強シートに貫通させるようにしているので、アンカーボルトの突出端部の際まで補強シートを貼り付けることができ、補強シートによる補強効果が減殺されることがない。また、アンカーボルトの突出端部を避ける必要がないので、その突出端部の配列ピッチを考慮して補強シートの割り付け方を種々に工夫する必要もなくなり、アンカーボルトが打設されていない現場とほぼ同程度の作業時間で補強シートを貼り付けることできる。
【００１１】
上記の本発明において、補強シートを貼り付けた後に、コンクリート層の裏側の地山に存在する空洞部に対して薬液注入を行うようにすれば、地山の浸食によって発生した当該空洞部に薬液が充填され、硬化した薬液とコンクリート層とが一体化するので、地山の強度をより一層向上させることができる。
また、上記の本発明において、補強シートを貼り付けた後に、隣接するアンカーボルトの締め付け部材同士を補強バーで互いに連結するようにすれば、補強シートが貼り付けられたコンクリート層の表面がアンカーボルトを格子点としたメッシュ状に覆われることになるので、吹き付け法面に対する補強機能をより一層増大させることができる。
【００１２】
【発明の実施の形態】
以下、図面を参照しつつ、本発明の実施の形態を説明する。
図１〜図３は、地山に吹き付けられたコンクリート構造体である吹き付け法面の斜視図であり、かかる吹き付け法面に対して行われる法面補修工法の各工程を時系列的に示すものである。
同図に示すように、本発明方法の補修対象である吹き付け法面１は、地山２の地肌に早強性のあるコンクリートを吹き付けることによって地山２を安定化させるものである。図１に示すように、硬化したコンクリート層３の上から同層３を貫通するようにして、一定間隔おき（概ね２ｍピッチ）に複数のアンカーボルト４が地山２に打設されていて、これによってコンクリート層３を地山２に対してより強固に一体化させるようにしている。
【００１３】
このアンカーボルト４の突出端部５には、同ボルト４をコンクリート層３に一体化させるための締め付け部材６が取り付けられており、本実施形態の締め付け部材６は、ボルト挿通孔７（図３参照）を中央部に有する正方形板状の座金プレート８と、アンカーボルト４の突出端部５に形成された雄ねじ部に螺合する締め付けナット９とからなる。このため、図３の拡大円内に示すように、座金プレート８のボルト挿通孔７にアンカーボルト４の突出端部５を挿通するようにして、そのプレート８をコンクリート層３の表面に当接させ、この状態で突出端部５に螺合させた締め付けナット９をスパナ等の工具で締め付けることにより、アンカーボルト４がコンクリート層３に一体化されている。
【００１４】
かかるアンカーボルト４が打設された吹き付け法面１は、そのコンクリート層３の表面はもとより、アンカーボルト４の突出端部５や締め付けナット９が剥き出しの状態になっている。このため、アンカーボルト４の打設孔や、コンクリート層３に発生した微少なクラック等から雨水が浸入し、地山２が徐々に浸食されてコンクリート層３の裏側に空洞部ができ、地山２の支持力が大きく低下することがある。
【００１５】
そこで、本実施形態では、後述する補強シート１４を用いた法面補修工法を吹き付け法面１に施工するようにしている。以下、図１〜図３を参照しつつ、本実施形態に係る法面補修工法を説明する。
なお、本実施形態の吹き付け法面１では、図１に示すように、適当な広さの五つの施工範囲１０Ａ〜１０Ｅに区分けされており、この各施工範囲１０Ａ〜１０Ｅに対してまったく同じ法面補修工法がそれぞれ繰り返して行われる。そこで、以下の説明では、五つの施工範囲１０Ａ〜１０Ｅのうちの一つ１０Ａを例に取り、その一つの施工範囲１０Ａに対して行われる法面補修工法の各工程について説明する。
【００１６】
まず、図１の左右の拡大円内を対比すれば判るように、所定の施工範囲１０Ａ内に位置するすべてのアンカーボルト４について、締め付けナット９と座金プレート１０からなる締め付け部材６を取り外して、当該ボルト４の突出端部５を裸の状態にし、その後、図示しないサンダー等で既設のコンクリート層３の表面を研磨して下地処理を行う。
次に、図１に示すように、下地処理されたコンクリート層３の表面全体に、合成樹脂製の接着剤又は塗料等よりなるプライマー１２をローラ１３で塗布する。このプライマー１２としては、例えば、コンクリート表面のクラックに浸透して固化する浸透接着用エポキシ樹脂（例えば、アルファ工業株式会社のアルファテック（商品名））を使用することができる。かかる樹脂を使用すれば、当該樹脂がコンクリートの内部に浸透して硬化するため、コンクリート層３の水密性及び強度を向上することができる。
【００１７】
その後、図２に示すように、上記のプライマー処理が施されたコンクリート層３の表面全体に、引っ張り強度が強化された高張力繊維シート等よりなる補強シート１４を隙間なく貼り付けていく。なお、図例では、ロール状に巻き付けられた長尺帯状の補強シート１４を上から下に向かって貼り付けているが、これを下から上に向かって貼り付てもよいし、横向きに貼り付けてもよい。また、この場合に使用する補強シート１４としては、炭素繊維、アラミド繊維及びケブラー繊維等の高張力繊維を一定方向（二方向でもよい。）に引き揃え、これに微量の樹脂を含浸させてなるコンクリート補強用繊維シート（例えば、三菱化学製のリペラーク（商品名））を採用することができる。
【００１８】
そして、本実施形態では、上記のようにアンカーボルト４の突出端部５が飛び出している吹き付け法面１に補強シート１４を隙間なく貼り付けるに当たって、図２の拡大円内に示すように、アンカーボルト４の突出端部５が存在する部分においては、その突出端部５を避けないで同突出端部５を補強シート１４に貫通させ、当該補強シート１４をコンクリート層３の表面に貼り付けるようにしている。なお、アンカーボルト４の突出端部５を補強シート１４に貫通させる方法としては、その補強シート１４を突出端部５の先端に押し付けて同シート１４を無理矢理突き破ることにしてもよいし、補強シート１４の一部を切断又は溶断して貫通孔を形成し、この貫通孔に突出端部５を挿通することにしてもよい。
【００１９】
このようにして吹き付け法面１における所定の施工範囲１０Ａに補強シート１４を隙間なく貼り付けた後は、図３に示すように、当該補強シート１４の表面に合成樹脂製の接着剤又は塗料等よりなる仕上げ剤１５をローラ１６によって上塗りする。その後、この仕上げ剤１５が乾燥して補強シート１４が完全に硬化してから、図３の拡大円内に示すように、各アンカーボルト４の突出端部５に座金プレート８と締め付けナット９を取り付け、このナット９を工具で回転してアンカーボルト４を締め直すことにより、当該施工範囲１０Ａにおける法面の補修作業が完了する。
【００２０】
なお、吹き付け法面１の他の施工範囲１０Ｂ〜１０Ｅについても、上記と同じ補修作業が繰り返されるが、高所作業となる施工範囲１０Ｃ〜１０Ｅについては、吹き付け法面１に沿って構築した作業足場（図示せず。）から上記と同じ補修作業が行われる。
【００２１】
以上説明した本実施形態に係る法面補修工法によれば、地山２に吹き付けられた既設のコンクリート層３の表面に補強シート１４を貼り付けるに当たり、アンカーボルト４の突出端部５がある部分においてはその突出端部５を補強シート１４に貫通させるようにしたので、アンカーボルト４の突出端部５の際まで補強シート１４を貼り付けることができ、補強シート１４による補強効果が減殺されることがない。また、アンカーボルト４の突出端部５を避ける必要がないので、その突出端部５の配列ピッチを考慮して補強シート１４の割り付け方を種々に工夫する必要がなく、アンカーボルト４が打設されていない現場とほぼ同程度の作業時間で補強シート１４を貼り付けることできる。
【００２２】
なお、本実施形態に係る法面補修工法に先立って、或いは、同補修工法を行ったあとに、超音波探傷法等によって地山２の老朽化を調査し、その結果、図４に示すように、コンクリート層の裏側の地山２に空洞部１７の存在が認められた場合には、その空洞部１７にセメントミルクやモルタル等よりなる薬液１８を注入することが好ましい。かかる薬液注入を行えば、地山２の浸食によって発生した当該空洞部１７に薬液１８が充填され、硬化した当該薬液１８とコンクリート層３とが一体化するので、地山２の強度をより一層向上させることができる。
【００２３】
また、図５に示すように、補強シート１４を貼り付けてその硬化が完了した後で、隣接するアンカーボルト４の座金プレート８（締め付けナット９でもよい。）同士を補強バー１９で互いに連結することにしてもよい。このようにすれば、補強シート１４が貼り付けられたコンクリート層３の表面がアンカーボルト４を格子点としてメッシュ状に覆われるので、吹き付け法面１に対する補強機能をより一層増大させることができる。
【００２４】
なお、上記した実施形態はすべて例示であって制限的なものではない。本発明の範囲は特許請求の範囲によって規定され、そこに記載された構成と均等の範囲内のすべての変更も本発明に含まれる。
例えば、本発明の法面補修工法は、図例のようなアンカーボルト４が正方形格子状に並んでいる場合だけではなく、同ボルト４が三角形格子状に並んでいる場合やランダムに配置されている場合にも適用することができる。
また、本発明の法面補修工法を行った吹き付け法面１にアンカーボルト４を増し打ちするようにすれば、地山１の補強をより完全に行うことができる。
【００２５】
【発明の効果】
以上説明したように、本発明によれば、アンカーボルトの突出端部を避けなくても同突出端部の際まで補強シートを貼り付けることができるので、アンカーボルトが打設されていない現場とほぼ同程度の作業時間で補強シートを隙間なく貼り付けることでき、アンカーボルトが打設された吹き付け法面を簡便な施工で確実に補強することができる。
【図面の簡単な説明】
【図１】地山に構築された吹き付け法面にプライマー処理を施す工程を示す斜視図である。
【図２】同吹き付け法面に補強シートを貼り付ける工程を示す斜視図である。
【図３】同吹き付け法面に貼り付けた補強シートに仕上げ剤を塗布する工程を示す斜視図である。
【図４】コンクリート層の裏側の地山に薬液注入を行う場合の吹き付け法面の縦断面図である。
【図５】締め付け部材同士が補強バーで互いに連結された状態を示す斜視図である。
【符号の説明】
１      吹き付け法面
２      地山
３      コンクリート層
４      アンカーボルト
５      突出端部
６      締め付け部材
１４      補強シート
１７      空洞部
１８      薬液
１９      補強バー
【図１】
2004285751.tif 000003
【図２】
2004285751.tif 000004
【図３】
2004285751.tif 000005
【図４】
2004285751.tif 000006
【図５】
2004285751.tif 000007